(57)【特許請求の範囲】
【請求項１】
シートを給送する給送手段を有する装置本体と、
第１の読取ユニットに設けられ、搬送路に沿って移動する前記シートの一方面を読み取る第１の読取センサと、
前記搬送路を挟んで前記第１の読取センサと対向して設けられる第２の読取ユニットに設けられ、前記シートの他方面の画像を読み取る第２の読取センサと、
前記第１の読取センサによって読み取り可能な位置に設けられ、前記第１の読取センサの読み取り背景となる第１背景部と、
前記第２の読取センサによって読み取り可能な位置に設けられ、前記第２の読取センサの読み取り背景となる第２背景部と、
前記第１の読取センサと前記第２背景部とを前記搬送路に沿って一体的に移動させる移動部と
を備え、
前記第１背景部は前記シートの移動方向において、前記第２の読取センサとは反対側に第３背景部を有し、
前記第２背景部は前記移動方向において、前記第１の読取センサとは反対側に第４背景部を有し、
前記第４背景部は、前記搬送路に対し傾斜した傾斜面を有し、前記シートに照射された光が直接、前記第２の読取センサに入射しないように構成されたことを特徴とする画像読取装置。
【請求項２】
前記移動部によって前記第１の読取センサと前記第２背景部とを前記搬送路に沿って一体的に移動させることで、
前記第１の読取センサが前記第１背景部を読み取り可能な位置から外れると同時に、前記第２の読取センサが前記第２背景部を読み取り可能な位置から外れることを特徴とする請求項１に記載の画像読取装置。
【請求項３】
前記第２の読取センサ、前記第１背景部、前記第３背景部および、
前記第１の読取センサ、前記第２背景部、前記第４背景部はそれぞれ、その順に前記移動方向に隣接して配置されることを特徴とする請求項１に記載の画像読取装置。
【請求項４】
前記第１背景部および前記第２背景部の背景色が白色で、
第３背景部および前記第４背景部が黒色であることを特徴とする請求項３に記載の画像読取装置。
【請求項５】
前記第４背景部は、前記第２背景部が取り付けられる固定部材の壁面であることを特徴とする請求項４に記載の画像読取装置。
【請求項６】
前記第１の読取ユニットの、前記搬送路と平行に前記第４背景部と対向する壁面は暗色面であることを特徴とする請求項１に記載の画像読取装置。
【請求項７】
前記第１の読取ユニットおよび前記第２の読取ユニットは、前記搬送路を挟んで点対称に配置された同一の構造であることを特徴とする請求項１から６のいずれか一つに記載の画像読取装置。
【発明の詳細な説明】
【技術分野】
【０００１】
本発明は、原稿を搬送しながら原稿を読み取る画像読取装置に関する。
【背景技術】
【０００２】
従来、原稿の表裏両面の画像を２つの画像読取部により読み取るものであって、白色と黒色の両方の背景部材を搭載している画像読取装置があった。原稿が薄紙で裏写りを抑制したいときは原稿の背面に黒面を配置し、原稿が不定形サイズで原稿周囲が黒く読み取られるのを抑制したいときは原稿の背面に白面を配置する。
【０００３】
背景色を切り替える為には可動機構が必要である。特許文献１に記載の画像読取装置では、可動機構によって表裏どちらかの読取ユニットを搬送方向に沿って移動し画像読取部の位置を変更し、背景色を切り替える方法が提案されている。読取ユニットが移動したとき、表裏両側の画像読取ユニットの読取位置に対向するように白色背景板、または黒色背景板を配置する構成となっている。
【先行技術文献】
【特許文献】
【０００４】
【特許文献１】特開２００１−１６４１２号公報
【発明の概要】
【発明が解決しようとする課題】
【０００５】
しかし、特許文献１記載の技術を２つの画像読取ユニットを備えた画像読取装置の背景切り替えに適用した場合、白背景板と黒背景板を各々読み取る為に光学系を含む筐体自体を移動させるためのスペースを確保する必要があり、装置全体のサイズが大きくなってしまう。
【課題を解決するための手段】
【０００６】
本発明によれば、例えば、
シートを給送する給送手段を有する装置本体と、
第１の読取ユニットに設けられ、搬送路に沿って移動する前記シートの一方面を読み取る第１の読取センサと、
前記搬送路を挟んで前記第１の読取センサと対向して設けられる第２の読取ユニットに設けられ、前記シートの他方面の画像を読み取る第２の読取センサと、
前記第１の読取センサによって読み取り可能な位置に設けられ、前記第１の読取センサの読み取り背景となる第１背景部と、
前記第２の読取センサによって読み取り可能な位置に設けられ、前記第２の読取センサの読み取り背景となる第２背景部と、
前記第１の読取センサと前記第２背景部とを前記搬送路に沿って一体的に移動させる移動部と
を備え、
前記第１背景部は前記シートの移動方向において、前記第２の読取センサとは反対側に第３背景部を有し、
前記第２背景部は前記移動方向において、前記第１の読取センサとは反対側に第４背景部を有し、
前記第４背景部は、前記搬送路に対し傾斜した傾斜面を有し、前記シートに照射された光が直接、前記第２の読取センサに入射しないように構成されたことを特徴とする。
【発明の効果】
【０００７】
本発明によれば、読取ユニットが画像読取装置の本体に固定された構造で背景切り替えが可能にしたことにより装置の小型化の技術を提供することができる。
【図面の簡単な説明】
【０００８】
【図１】本発明の一実施形態に係る画像読取装置の概略図。
【図２】図１の画像読取装置の制御ユニットのブロック図。
【図３】本発明の一実施形態に係る画像読取装置の正面図。
【図４】本発明の一実施形態に係る画像読取装置の他の正面図。
【図５】本発明の一実施形態に係る画像読取装置の上面図。
【図６】本発明の一実施形態に係る画像読取装置の他の上面図。
【図７】本発明の一実施形態に係る画像読取装置の概略断面図。
【図８】本発明の一実施形態に係る画像読取装置の他の概略断面図。
【図９】本発明の一実施形態に係る画像読取装置の側面図。
【図１０】本発明の一実施形態に係る画像読取装置の側面図。
【図１１】本発明の一実施形態に係る画像読取装置の概略断面図。
【図１２】本発明の一実施形態に係る画像読取装置の概略断面図。
【図１３】ＣＩＳの斜視図。
【図１４】（ａ）、（ｂ）は読み取りユニット７０の断面図。
【発明を実施するための形態】
【０００９】
図１は本発明の一実施形態に係る画像読取装置Ａの概略図である。
【００１０】
＜装置の構成＞
画像読取装置Ａは、載置台１に積載された一又は複数の搬送媒体Ｓを１つずつ装置内に経路ＲＴにて搬送してその画像を読み取り、排出トレイ２に排出する装置である。読み取る搬送媒体Ｓは、例えば、ＯＡ紙、チェック、小切手、名刺、カード類等のシートであり、厚手のシートであっても、薄手のシートであってもよい。カード類は、例えば、保険証、免許証、クレジットカード等を挙げることができる。搬送媒体Ｓには、また、パスポートなどの冊子も含まれる。冊子を対象とする場合、ホルダを用いることができる。ホルダに見開き状態の冊子を収容して載置台１に載置することで、冊子がホルダと共に搬送され、その画像を読み取ることができる。
【００１１】
＜給紙＞
経路ＲＴに沿って搬送媒体Ｓを給送する給送機構としての第１搬送部１０が設けられている。第１搬送部１０は本実施形態の場合、送りローラ１１と、送りローラ１１に対向配置される分離ローラ１２を備え、載置台１上の搬送媒体Ｓを搬送方向Ｄ１に一つずつ順次搬送する。送りローラ１１には、モータ等の駆動部３から伝達部５を介して駆動力が伝達され、図中矢印方向（経路ＲＴに沿って搬送媒体Ｓを搬送させる正方向）に回転駆動される。伝達部５は例えば電磁クラッチであり、駆動部３からの送りローラ１１への駆動力を断続する。
【００１２】
＜駆動部＞
駆動部３と送りローラ１１とを接続する伝達部５は、例えば、本実施形態では、通常時において駆動力が伝達される状態とし、搬送媒体Ｓの逆送の場合に駆動力を遮断する。送りローラ１１は伝達部５により駆動力の伝達が遮断されると、自由回転可能な状態となる。なお、このような伝達部５は、送りローラ１１を一方向のみに駆動させる場合には設けなくてもよい。
【００１３】
＜分離構造＞
送りローラ１１に対向配置される分離ローラ１２は、搬送媒体Ｓを１枚ずつ分離するためのローラであり、送りローラ１１に対して一定圧で圧接している。この圧接状態を確保するため、分離ローラ１２は揺動可能に設けると共に送りローラ１１へ付勢されるように構成される。分離ローラ１２は、トルクリミッタ１２ａを介して駆動部３から駆動力が伝達され、実線矢印方向（送りローラ１１の正方向とは逆方向））に回転駆動される。
【００１４】
分離ローラ１２はトルクリミッタ１２ａにより駆動力伝達が規制されるため、送りローラ１１と当接している際は送りローラ１１に連れ回りする方向（破線矢印方向）に回転する。これにより、複数の搬送媒体Ｓが送りローラ１１と分離ローラ１２との圧接部に搬送されてきた際には、一つを残して２つ以上の搬送媒体Ｓが下流に搬送されないようにせき止められる。
【００１５】
なお、本実施形態では分離ローラ１２と送りローラ１１とで分離機構を構成したが、このような分離機構は必ずしも設けなくてもよく、経路ＲＴに搬送媒体Ｓを１つずつ順次給送する給送機構であればよい。また、分離機構を設ける場合においては、分離ローラ１２のような構成の代わりに、搬送媒体Ｓに摩擦力を付与する分離パッドを送りローラ１１に圧接させて、同様の分離作業を持たせるようにしてもよい。
【００１６】
＜搬送構造＞
第１搬送部１０の搬送方向下流側にある搬送機構としての第２搬送部２０は、駆動ローラ２１と、駆動ローラ２１に従動する従動ローラ２２とを備え、第１搬送部１０から搬送されてきた搬送媒体Ｓをその下流側へ搬送する。駆動ローラ２１にはモータ等の駆動部４から駆動力が伝達され、図中矢印方向に回転駆動される。従動ローラ２２は駆動ローラ２１に対して一定圧で圧接し、駆動ローラ２１に連れ回る。この従動ローラ２２は、バネ等の付勢ユニット（不図示）によって駆動ローラ２１に対して付勢された構成としてもよい。
【００１７】
このような第２搬送部２０よりも搬送方向下流側にある第３搬送部３０は、駆動ローラ３１と、駆動ローラ３１に従動する従動ローラ３２とを備え、第２搬送部２０から搬送されてきた搬送媒体Ｓを排出トレイ２へ搬送する。つまり、この第３搬送部３０は排出機構として機能する。駆動ローラ３１にはモータ等の駆動部４から駆動力が伝達され、図中矢印方向に回転駆動される。従動ローラ３２は駆動ローラ３１に対して一定圧で圧接し、駆動ローラ３１に連れまわる。この従動ローラ３２は、バネ等の付勢ユニット（不図示）によって駆動ローラ３１に対して付勢された構成としてもよい。
【００１８】
排出トレイ２は、画像読取装置Ａに対して回動可能なように、画像読取装置Ａの下方に設けられた第１ヒンジ１０１を介して軸支されている。また、第１ヒンジ１０１側の第１排出トレイ２ａとその先端側に接続された第２排出トレイ２ｂとから構成されており、第２排出トレイ２ｂは第１排出トレイ２ａに対して回動可能に軸支されている。
【００１９】
＜画像読取構造、制御＞
ここで、本実施形態の画像読取装置Ａでは、第２搬送部２０と第３搬送部３０との間に配置される画像読取ユニット７０、７１によって画像の読み取りを行うため、第２搬送部２０及び第３搬送部３０は搬送媒体Ｓを定速搬送する。搬送速度は常に第１搬送部１０の搬送速度以上とすることで、先行搬送媒体Ｓに後続搬送媒体Ｓが追いついてしまう事態を確実に回避できる。例えば、本実施形態では、第２搬送部２０及び第３搬送部３０による搬送媒体Ｓの搬送速度を、第１搬送部１０による搬送媒体Ｓの搬送速度よりも速くなるように速度制御するようにした。
【００２０】
なお、第２搬送部２０及び第３搬送部３０による搬送媒体Ｓの搬送速度と、第１搬送部１０による搬送媒体Ｓの搬送速度とを同一条件とした場合でも、駆動部３を制御して後続搬送媒体Ｓの給送開始タイミングを間欠的にずらすことにより先行搬送媒体Ｓと後続搬送媒体Ｓとの間に最低限の間隔を形成することも可能である。
【００２１】
＜重送検出＞
第１搬送部１０と第２搬送部２０との間に配置される重送検出センサ４０は、静電気等で紙などの搬送媒体Ｓ同士が密着し、第１搬送部１０を通過してきた場合（つまり重なって搬送される重送状態の場合）に、これを検出するための検出センサ（シートの挙動や状態を検出するセンサ）の一例である。重送検出センサ４０としては、種々のものが利用可能であるが本実施形態の場合には超音波センサであり、超音波の発信部４１とその受信部４２とを備え、紙等の搬送媒体Ｓが重送されている場合と１つずつ搬送されている場合とで、搬送媒体Ｓを通過する超音波の減衰量が異なることを原理として重送を検出する。
【００２２】
＜レジストセンサ＞
このような重送検出センサ４０よりも搬送方向下流側に配置される媒体検出センサ５０は第２搬送部２０よりも上流側で、第１搬送部１０よりも下流側に配置された上流側の検出センサ（シートの挙動や状態を検出するセンサ）としての一例であり、第１搬送部１０により搬送される搬送媒体Ｓの位置、詳細には、媒体検出センサ５０の検出位置に搬送媒体Ｓの端部が到達又は通過したか否かを検出する。媒体検出センサ５０としては、種々のものが利用可能であるが、本実施形態の場合には光学センサであり、発光部５１とその受光部５２とを備え、搬送媒体Ｓの到達又は通過により受光強度（受光量）が変化することを原理として搬送媒体Ｓを検出する。
【００２３】
本実施形態の場合、搬送媒体Ｓの先端が媒体検出センサ５０で検出されると、搬送媒体Ｓが重送検出センサ４０により重送を検出可能な位置に到達しているように、上記の媒体検出センサ５０は重送検出センサ４０の近傍においてその下流側に設けられている。なお、この媒体検出センサ５０は、上記の光学センサに限定されず、例えば、搬送媒体Ｓの端部が検知できるセンサ（イメージセンサ等）を用いてもよいし、経路ＲＴに突出したレバー型のセンサでもよい。
【００２４】
媒体検出センサ５０とは別の媒体検出センサ６０が画像読取ユニット７０、７１よりも上流側に配置されている。第２搬送部２０よりも下流側に配置された下流側の検出センサとしての一例であり、第２搬送部２０により搬送される搬送媒体Ｓの位置を検出する。媒体検出センサ６０としては、種々のものが利用可能であるが、本実施形態の場合、媒体検出センサ５０と同様に光センサであり、発光部６１と受光部６２とを備え、搬送媒体Ｓの到達又は通過により受光強度（受光量）が変化することを原理として搬送媒体Ｓを検出する。なお、本実施形態では、第２搬送部２０の搬送方向上流側と下流側のそれぞれに媒体検出センサ５０、６０を配置したが、何れか一方だけでもよい。
【００２５】
＜CISの配置＞
媒体検出センサ６０よりも下流側にある画像読取ユニット７０、７１は、例えば、光学的に走査し、電気信号に変換して画像データとして読み取るものであり、内部にＬＥＤ等の光源、イメージセンサ、レンズアレー等を備えている。
【００２６】
＜ブロック図の説明＞
図２を参照して制御部８０について説明する。図２は画像読取装置Ａの制御部８のブロック図である。
【００２７】
制御部８０はＣＰＵ８１、記憶部８２、操作部８３、通信部８４及びインターフェース部８５を備える。ＣＰＵ８１は記憶部８２に記憶されたプログラムを実行することにより、画像読取装置Ａ全体の制御を行う。記憶部８２は例えばＲＡＭ、ＲＯＭ等から構成される。操作部８３は、例えば、スイッチやタッチパネル等で構成され、操作者からの操作を受け付ける。
【００２８】
通信部８４は、外部装置との情報通信を行うインターフェースである。外部装置としてＰＣ（パソコン）を想定した場合、通信部８４としては、例えば、ＵＳＢインターフェースやＳＣＳＩインターフェースを挙げることができる。また、このような有線通信のインターフェースの他、通信部８４は無線通信のインターフェースとしてもよく、有線通信、無線通信の双方のインターフェースを備えていてもよい。
【００２９】
インターフェース部８５はアクチュエータ８６やセンサ８７とのデータの入出力を行うＩ／Ｏインターフェースである。アクチュエータ８６には、駆動部３、駆動部４、伝達部５等が含まれる。センサ８７には、重送検出センサ４０、媒体検出センサ５０及び６０、画像読取ユニット７０、７１等が含まれる。
＜PCからの開始指示受信による駆動＞
画像読取装置Ａの基本的な動作について説明する。制御部８０は、例えば画像読取装置Ａが接続された外部パソコンから画像読み取りの開始指示を受信すると、第１搬送部１０から第３搬送部３０の駆動を開始する。載置台１に積載された搬送媒体Ｓはその最も下に位置する搬送媒体Ｓから１つずつ搬送される。もしくは、画像読取装置Ａに設けられた開始時を受け付けて読取動作を開始する。
【００３０】
＜重送時の制御＞
搬送の途中で搬送媒体Ｓは重送検出センサ４０により重送の有無が判定され、重送が無いと判定されると搬送が継続される。なお、重送があると判定された場合には、搬送を停止するか、第１搬送部１０による後続搬送媒体Ｓの取り込みを停止して、重送状態にある搬送媒体Ｓをそのまま排出するようにしてもよい。
＜レジストセンサの出力に応じた読取開始＞
制御部８０は、媒体検出センサ６０の検出結果に基づくタイミングで、第２搬送部２０により搬送されてきた搬送媒体Ｓの、画像読取ユニット７０、７１による画像の読み取りを開始し、読み取った画像を一次記憶して順次外部パソコンへ送信する。画像が読み取られた搬送媒体Ｓは第３搬送部３０により排出トレイ２に排出されてその搬送媒体Ｓの画像読取処理が終了する。
【００３１】
＜排紙構造＞
図３は本発明の一実施形態に係る画像読取装置Ａの排出トレイ２を展開した状態の正面図である。
【００３２】
正面上部の表示パネル９０には表示画面９３が設けられ、隣接した位置に操作キー１２２が設けられている。
【００３３】
正面下部の下部パネル９１には排出開口９２が設けられており、第３搬送部３０によって搬送された搬送媒体Ｓが排出される。
【００３４】
図４は本発明の一実施形態に係る画像読取装置Ａの排出トレイ２を収納した状態の正面図である。
【００３５】
排出トレイ２は、画像読取装置Ａに対して回動可能なように、画像読取装置Ａの下方に設けられた第１ヒンジ１０１を介して軸支されており、第１排出トレイ２ａ及び第２排出トレイ２ｂによって本体前面を覆うように構成されている。
【００３６】
第１排出トレイ２ａは、第１ヒンジ１０１を支点として回動可能に画像読取装置Ａの本体１００に取り付けられている。第１排出トレイ２ａは、下部パネル９１及び排出開口９２を合わせた面積と同サイズで形成され、図４に示すような排出トレイ２の収納状態において、第１ヒンジ１０１を支点として回動し、下部パネル９１及び排出開口９２を覆うように折り畳まれる。
【００３７】
第２排出トレイ２ｂは、表示パネル９０と同サイズで形成され、図４に示すような排出トレイ２の収納状態において、第１排出トレイ２ａの先端に設けられた第２ヒンジ１０２を支点として回動し、表示パネル９０と重なるように折り畳まれる。
【００３８】
図５は本発明の一実施形態に係る画像読取装置Ａの排出トレイ２を展開した状態における上面図である。
【００３９】
第３搬送部３０により搬送されてきた搬送媒体Ｓは、排出開口９２を経て第１排出トレイ２ａに排出され、搬送媒体Ｓのサイズによっては第２排出トレイ２ｂまで到達し、案内される。
【００４０】
第１排出トレイ２ａには、排出位置調整部材１２０が回動可能に設けられており、名刺などのような第１排出トレイ２ａに対して小さいサイズの搬送媒体Ｓが排出されるときなどに、起立状態に回動させることで搬送媒体Ｓが停止する位置を調整し、排出された搬送媒体Ｓを散らばりにくくすることができる。
【００４１】
また、第２排出トレイ２ｂには、透光部１２１が設けられており、表示パネルに設けられた操作キー１２２と重なる位置に配置されている。操作キー１２２は本体電源をオン、オフする電源ボタンとなっており、電源オン状態においてはボタンが点灯するように構成されている。操作キー１２２と重なる位置に配置された透光部１２１は、排出トレイ２の収納状態においても操作キー１２２が点灯状態であるか、消灯状態であるかを確認することができ、画像読取装置Ａの電源状態を確認することができる。
【００４２】
＜表示パネルの構成＞
第２排出トレイ２ｂの収納状態において、第２排出トレイ２ｂと重なる位置に設けられた表示パネル９０には、表示画面９３が配置されている。
【００４３】
表示画面９３は、給送トレイ１１０および搬送路幅Ｗと中心線Ｘが同位置となるように配置されている。尚、本発明の一実施形態に係る画像読取装置Ａの最大搬送路幅ＷｍａｘとしてＡ４レターサイズを給送可能に構成されており、その幅はＷｍａｘ＝２１６ｍｍである。表示画面９３の幅は２２４ｍｍであり、Ｗｍａｘを超える長さとなっている。
【００４４】
これにより、例えば、読み取った画像を実寸大で表示画面９３に表示することができるようになり、仕上がり状態の確認が容易に行えるため、ユーザの利便性を向上することができる。
【００４５】
＜給送構造詳細＞
図６は本発明の一実施形態に係る画像読取装置Ａの排出トレイ２を収納した状態における上面図である。
【００４６】
積載台１には、配置される搬送媒体Ｓの大きさに合わせて搬送方向に対して直交する方向にスライド可能に取り付けられた規制部材１１１が設けられている。
【００４７】
＜上部ユニット詳細＞
図７は本発明の一実施形態に係る画像読取装置Ａの概略断面図である。
【００４８】
本体１００は、上部ユニット１０３と下部ユニット１０４とから構成され、上部ユニット１０３は下部ユニット１０４に対し、本体ヒンジ１０５を支点として回動可能に取り付けられている。
【００４９】
上部ユニット１０３は、表示パネル９０に最大搬送路幅Ｗｍａｘを超える幅の表示画面９３及び表示画面９３の支持フレーム板金を備えているため、図８に示すように上部ユニット１０３を展開した状態における重心は、図１に示すような上部ユニット１０３を収納した状態よりも搬送方向前方側に大きくずれることになる。
【００５０】
したがって、上部ユニットを展開する際に勢いがあると画像読取装置Ａが転倒してしまう虞があるが、本実施形態に係る画像読取装置Ａにおいては、突出部１３０を有することにより、上部ユニット１０３の展開に伴う重心移動が起こっても画像読取装置Ａの転倒を防ぐことができる。突出部１３０の突出量は、図７のような上部ユニット１０３及び排出トレイ２の収納状態においては、排出トレイ２の下方に収まるような突出量であって、図８のような上部ユニット１０３の展開状態においては、上部ユニット１０３の重心よりも搬送方向前方まで位置するような突出量となっている。これにより、上部ユニット１０３の展開による画像読取装置Ａの転倒を防止しつつ、排出トレイ２を収納した収納状態においては必要以上に突出させず、ユーザの邪魔にならないようにすることができる。
【００５１】
＜排出トレイ角度調節＞
また、突出部１３０の上面には、排出トレイ２を展開したときにその下面に当接するようにしたトレイ支持部１３１が回動可能に設けられている。
【００５２】
図９に示すように、排出トレイ２は、その展開状態においては、突出部１３０によって支持され、排出される搬送媒体Ｓを受けることができるようにされている。図１０に示すように、トレイ支持部１３１を突出部１３０上面から上方に突出するように回動させると、排出トレイ２の下面側に当接して排出トレイ２を支持することとなり、突出部１３０によって支持する図９の状態から、排出トレイ２の角度を調節できる。
【００５３】
例えば、図１０の状態では、図９の状態と比べて、排出トレイ２が鉛直方向上方に持ち上げられることとなり、排出トレイ２の上面において搬送媒体Ｓの先端が着地する位置を変更することができる。これにより、図９の状態では、排出される搬送媒体Ｓの先端が、既に排出済みの搬送媒体Ｓの後端に当接して押し出してしまうような場合において、図１０のように排出トレイ２の角度を変更することで、既に排出済みの搬送媒体Ｓの後端を下部ユニット１０４側に寄せる作用に加えて、既に排出済みの搬送媒体Ｓの上面に、後続の搬送媒体Ｓの先端を確実に着地させることができる。このような構成により、排出トレイ２上での排出済みの搬送媒体Ｓの整列性を格段に向上することができる。
【００５４】
なお、トレイ支持部１３１は回動範囲の途中においても排出トレイ２を支持可能なように構成し、排出トレイ２の角度を複数段階で調節可能にしてもよい。その場合、搬送媒体Ｓごとに最も排出トレイ２上での整列性が高い角度で搬送媒体Ｓを受けることができ、使用性を向上できる。
【００５５】
＜読取センサ構成＞
画像読取ユニット７０、７１はモールド部材でできたセンサケース７０ａ、７１ａで覆われており、原稿の搬送面側にガラスを設けた構造になっている。画像読取ユニット７１は搬送方向と垂直方向に可動でき、画像読取ユニット７０は下部ユニット１０４に固定されている。
【００５６】
ここで、図１１を用いて画像読取ユニット７０、７１のセンサケース７０ａ、７１ａ内の構成の説明をする。
【００５７】
センサケース７０ａ、７１ａ内には、読取センサとしてのＣＩＳ７２、７３と、白色基準板７４、７５を有している。ライン上に設置された光電変換素子と搬送媒体Ｓを照射するための発光素子１５０、１５１を備える。画像読取ユニット７０内のＣＩＳ７２は、搬送媒体Ｓの表面を読み取る。画像読取ユニット７１内のＣＩＳ７３は、搬送媒体Ｓの裏面を読み取る。
【００５８】
ＣＩＳ７２とＣＩＳ７３は同一部材であり、搬送面を中心として点対称に配置される。同一部材を使用するためコスト削減に効果があり、構成も表面と裏面が共通化できるため簡潔にできる。
【００５９】
白色基準板７４、７５はＣＩＳ７２、７３に貼り付けられている。導光体を通して原稿を照射する光が白色基準板７４、７５に反射してレンズ１５２、１５３に入射する為、背景色は白色となる。黒背景部７６、７７はＣＩＳ７２、７３、白色基準板７４、７５が配置される筐体の一部である。ＣＩＳが移動したとき導光体を通して原稿を照射する光が反射する面がなくなる。かつ、光が黒背景部に到達しても対向するレンズに直接反射光が入らないように角度をつけた斜面となっている。これにより、背景色が黒色となる。画像読取ユニット７０、７１のセンサケース７０ａ、７１ａの内壁は黒背景部７６、７７で反射された光を吸収するための材料で構成される。または、光を吸収し、反射させない部材を配置してもよいが、黒背景部７６、７７に対し、搬送路に平行な方向において対向する位置を含むように設け、黒背景部７６、７７の傾斜も、搬送路に対して４５度以上の角度を成すようにして、入射した光がセンサケース７０ａ、７１ａの内壁で反射して対向するレンズの方向に導光しないように構成されているのが好ましい。
【００６０】
図１１では白色基準板と黒背景部は離れているが、黒背景部は白色基準板に隣接してもよい。
【００６１】
白色基準板７４は図１１のようにＣＩＳ７２から一部が受発光素子側にせり出すように貼り付けられている。これは白基準板７４が発光素子１５１から対向センサの受光素子１５４へ向かう光を遮光するためである。すなわち、白色基準板であると同時に遮光板としても機能している。対向センサの白色基準板７５も同様に構成され、同様の効果を奏している。
【００６２】
発光素子１５１から対向するＣＩＳ７２の受光素子１５４へ向かう光の遮光の効果を上げる為に、発光素子１５１は搬送路側から見て白色基準板７４に隣接している方が良い。言い換えれば、発光素子１５１と白色基準板７５の搬送路への投影が隣接するように配置されるのが好ましい。
【００６３】
白基準板７５と発光素子１５１が近いと対向するＣＩＳ７２のレンズ１５２および受光素子１５４に向かう方向に白基準板７５があるので遮光効果が良くなる。よって、搬送路に沿って、白色基準板７５、発光素子１５１、受光素子１５５の順に並んでいるとよい。対向センサの白基準板７５も同様の内容が言える。
【００６４】
＜背景切り替え構成＞
次に背景色切り替えの構成の説明をする。図１１は、本実施形態に係る画像読取ユニットの上面図である。
【００６５】
図１２は、図１１の断面Ｙにおける断面図である。図１２（ａ）は背景色白、図１２（ｂ）は背景色黒の状態における位置に対応している。
【００６６】
画像読取ユニット７０のＣＩＳ７２は下部ユニット１０４に配置されたＣＩＳ摺動モータ７９の駆動力を画像読取ユニット７０に設けられた伝達部材７８を介して伝達することで、ＣＩＳ７２およびＣＩＳに貼り付けられた白色基準板７４が搬送方向に平行に移動可能となっている。
【００６７】
読取画像の背景色を白にする場合はＣＩＳ７２の読み取り位置を対向する白色基準板７５の位置に配置することにより白背景読取が可能となる。このとき、ＣＩＳ７２と白色基準板７４が一体となって移動するので、ＣＩＳ７２を白背景位置に配置するとＣＩＳ７３の読み取り位置と対向する位置に白色基準板７４が配置され、白背景の読み取りが可能となる。
【００６８】
読取画像の背景色を黒にする場合はＣＩＳ７２の読み取り位置を対向する黒背景部７７の位置に配置することにより黒背景の読み取りが可能となる。
【００６９】
ＣＩＳ７２内の発光素子１５０の発光を黒背景部７７の斜面で拡散させ、受光素子１５４へ入光させないことで黒背景の読み取りを実現する。
【００７０】
片側のＣＩＳが移動すると、対向するセンサも相対的に移動することとなり、少ない距離で背景切り替えを行うことができる。また、片側のＣＩＳの移動で第１の読取センサ７０と第２の読取センサ７１の背景色を同時に切り替えが可能である。
【００７１】
白背景の読み取り位置を基準とすると黒背景読み取りの際、ＣＩＳの移動に合わせて先端余白の調整制御が必要となる。ＣＩＳの移動量が決まっているので、黒背景読み取り位置にＣＩＳ７２が移動したとき、ＣＩＳ７２の移動量に応じた読取開始タイミングの変更を行い、先端余白の調整を行う。
【００７２】
ここで、従来技術としては黒色基準板があり、ＣＩＳの読み取り位置を黒色基準板の位置に配置することにより黒背景読取を実現している。しかし、塵や紙粉が黒色基準板に付着すると汚れてしまい基準値を保てなくなる。そのために補正制御が必要となっていた。本特許では黒背景部が汚れても背景色の画像には影響が出ないため、黒基準を保つことができ、補正などを行う必要なく、安定した黒基準の取得が可能となる。
【００７３】
ＣＩＳ７２内の配置は図面左から黒基準部７６、色基準板７４、受発光部１５４となっている。この並びにすることで、ＣＩＳの移動距離を最小限にすることができている。
【００７４】
黒背景部７７は装置幅方向全面にわたっている必要があるため、伝達部材連結部１４０は黒背景部とは反対側にあると良い。
【００７５】
次に、図１３、図１４を用いて画像読取ユニット７０内でＣＩＳ７２が搬送方向に移動する構成を説明する。図１３はＣＩＳの斜視図、図１４（ａ）、（ｂ）は読み取りユニット７０の断面図であり、それぞれ図１１における断面Ａ、断面Ｂにおける断面図となっている。
【００７６】
ＣＩＳ７２の両端部にはボス１４１があり、画像読取ユニット７０の内壁部材とガイド部材１４２によって挟まれている。ＣＩＳ摺動モータ７９の駆動によって背景を切り替える際にＣＩＳ７２はこのガイドに沿って搬送方向と平行に移動する。ＣＩＳは焦点距離が短い特性を持っており、読み取り方向である搬送方向と垂直方向の位置精度を上げる為には前記のようなガイドに沿った平行移動が良い。ボス１４１の材質としては、画像読取ユニット７０のセンサケース７０ａなどとは異なる摺動性のよい材質とすることが好ましい。
【００７７】
尚、本実施形態においては画像読取ユニット７０、７１はセンサケース状に読取センサとしてＣＩＳ７２、７３を囲うように配置したが、必ずしもその必要はなく、読取センサと基準板、黒基準部もしくは他の色基準部が一体に移動可能にされたものを有していればよい。
【００７８】
なお、以上の実施形態の説明の中で、ＣＩＳ７２に関してのみ説明を行っている箇所については、ＣＩＳ７３についても同様となるように構成することが好ましい。
【符号の説明】
【００７９】
Ａ  画像読取装置
Ｓ  搬送媒体
１  載置台
２  排出トレイ
２ａ  第１排出トレイ
２ｂ  第２排出トレイ
３、４  駆動部
５  伝達部
１０  第１搬送部
１１  送りローラ
１２  分離ローラ
２０  第２搬送部
２１  駆動ローラ
２２  従動ローラ
３０  第３搬送部
３１  駆動ローラ
３２  従動ローラ
４０  重送検出センサ
５０、６０  媒体検出センサ
７０、７１  画像読取ユニット
７０ａ、７１ａ  ケース
７２、７３  コンタクトイメージセンサ（ＣＩＳ）
７４、７５  色基準板
７６、７７  黒背景色部
７８  伝達部材
７９  ＣＩＳ摺動モータ
８０  制御部
８４  通信部
９０  表示パネル
９１  下部パネル
９３  表示画面
１００  本体
１０１  第１ヒンジ
１０２  第２ヒンジ
１０３  上部ユニット
１０４  下部ユニット
１０５  本体ヒンジ
１１１  規制部材
１２０  排出位置調整部材
１２１  透光部
１２２  操作キー
１３０  突出部
１３１  トレイ支持部
１４０  伝達部材連結部
１４１  ボス
１４２  ガイド部材
１５０、１５１  発光素子
１５２、１５３  レンズ
１５４、１５５  受光素子
【図１】
0006750939.tif 000002
【図２】
0006750939.tif 000003
【図３】
0006750939.tif 000004
【図４】
0006750939.tif 000005
【図５】
0006750939.tif 000006
【図６】
0006750939.tif 000007
【図７】
0006750939.tif 000008
【図８】
0006750939.tif 000009
【図９】
0006750939.tif 000010
【図１０】
0006750939.tif 000011
【図１１】
0006750939.tif 000012
【図１２】
0006750939.tif 000013
【図１３】
0006750939.tif 000014
【図１４】
0006750939.tif 000015